(57)【要約】【課題】トロポロン誘導体を有効成分とする木材処理剤であって、装置等の金属腐食や着色の問題がない木材処理剤を提供すること。【解決手段】トロポロン誘導体とキレート剤を含有することを特徴とする木材処理剤。【選択図】　選択図なし【特許請求の範囲】
【請求項１】
トロポロン誘導体とキレート剤を含有することを特徴とする木材処理剤。
【請求項２】
キレート剤がエチレンジアミン四酢酸またはその塩であることを特徴とする請求項１記載の木材処理剤。
【請求項３】
トロポロン誘導体がヒノキチオールであることを特徴とする請求項１記載の木材処理剤。
【請求項４】
トロポロン誘導体がヒノキチオールの金属塩および／または金属錯体であることを特徴とする請求項１記載の木材処理剤。
【請求項５】
さらに、トロポロン誘導体以外の防菌防カビ剤および／または防虫剤を含有することを特徴とする請求項１〜４のいずれかに記載の木材処理剤。
【発明の詳細な説明】
【０００１】
【発明の属する技術分野】
本発明は、木材の防腐・防虫等処理剤に関する。特に、トロポロン誘導体を含有する薬剤であって、木材への薬剤の加圧注入時などにおいて、装置等の金属部分の腐食と着色が大幅に軽減された薬剤に関する。
【０００２】
【従来の技術】
木材の防腐、防虫を目的とし、ヒノキチオールなどのトロポロン誘導体を利用する技術は既に知られているが、ヒノキチオールなどのトロポロン誘導体は、鉄などの金属と錯体を形成しやすく、金属の腐食や着色といった問題を起こしやすい。例えば、炭素鋼製やステンレス製などの金属製の注入缶を用いてヒノキチオールを含有する木材処理剤を木材へ注入した場合には、注入缶が腐食したり着色したりするという問題がしばしば発生する。こうした問題を解決する技術として、水溶性アルカノールアミンを配合する技術が開示されている（特開２００１−２７７２０８号公報）。しかしながらこの技術では、ヒノキチオールによる金属の腐食や着色を十分に抑制することは出来なかった。
【０００３】
【発明が解決しようとする課題】
本発明は、トロポロン誘導体を有効成分とする木材処理剤であって、装置等の金属腐食や着色の問題がない木材処理剤を提供することを目的とする。
【０００４】
【課題を解決するための手段】
本発明者らは、上記課題を解決するために鋭意検討した結果、本発明を完成した。すなわち、本発明は下記のとおりである。
１．トロポロン誘導体とキレート剤を含有することを特徴とする木材処理剤。
２．キレート剤がエチレンジアミン四酢酸またはその塩であることを特徴とする１．の木材処理剤。
３．トロポロン誘導体がヒノキチオールであることを特徴とする１．の木材処理剤。
４．トロポロン誘導体がヒノキチオールの金属塩および／または金属錯体であることを特徴とする１．の木材処理剤。
５．さらに、トロポロン誘導体以外の防菌防カビ剤および／または防虫剤を含有することを特徴とする１．〜４．のいずれかに記載の木材処理剤。
【０００５】
【発明の実施の態様】
以下、本発明について、特にその好ましい実施態様を中心に具体的に説明する。
本発明においては、トロポロン誘導体に加え、キレート剤を含有することが必須要件である。キレート剤を含有しないと、装置等の金属部分と接触した場合の金属腐食や着色を十分に抑制できない。本発明で用いるキレート剤の種類は特に制限はないが、例えば、エチレンジアミン四酢酸（ＥＤＴＡ）、エチレンジアミン四酢酸２ナトリウム塩（ＥＤＴＡ−２Ｎａ）、エチレンジアミン四酢酸４ナトリウム塩（ＥＤＴＡ−４Ｎａ）、シクロヘキサンジアミン四酢酸（ＣｙＤＴＡ）およびその塩、ニトリロ三酢酸（ＮＴＡ）およびその塩、ヒドロキシエチルエチレンジアミン三酢酸（ＨＥＤＴＡ）およびその塩、ジヒドロキシエチルエチレンジアミン二酢酸（ＤＨＥＤＤＡ）およびその塩、ジエチレントリアミン六酢酸（ＤＴＰＡ）およびその塩、１，３−プロパンジアミン四酢酸（１，３−ＰＤＴＡ）およびその塩、トリエチレンテトラミン六酢酸（ＴＴＮＡ）およびその塩、ヒドロキシエチルイミノ二酢酸（ＨＩＭＤＡ）およびその塩、トリポリリン酸およびその塩、ヘキサメタリン酸およびその塩、１−ヒドロキシエチル−１，１−ジホスホン酸およびその塩などの他、Ｌ−グルタミン酸二酢酸およびその塩、Ｌ−アスパラギン酸二酢酸およびその塩、エチレンジアミン二コハク酸およびその塩、メチルグリシン二酢酸およびその塩などの生分解性キレート剤などがあげられる。
【０００６】
本発明で用いるキレート剤としては、エチレンジアミン四酢酸（ＥＤＴＡ）、エチレンジアミン四酢酸２ナトリウム塩（ＥＤＴＡ−２Ｎａ）、エチレンジアミン四酢酸４ナトリウム塩（ＥＤＴＡ−４Ｎａ）、１−ヒドロキシエチル−１，１−ジホスホン酸およびその塩、メチルグリシン二酢酸およびその塩などが好ましく、更に好ましくはＥＤＴＡ、ＥＤＴＡ−２Ｎａである。
本発明におけるキレート剤の好ましい配合量は、トロポロン誘導体１重量部に対し、０．１〜１００重量部であり、更に好ましくは０．５〜５０重量部である。
【０００７】
本発明でいうところのトロポロン誘導体とは、酸素官能基がフリーの化合物（式（１））はじめ、金属錯体または金属塩（式（２））、アシル体（式（３））、配糖体（式（４））などを包含するが、木材処理剤としての持続性、安定性に優れるという意味で、金属錯体および／又は金属塩が好ましい。
【０００８】
【化１】
2004043327.tif 000002
【０００９】
ただし、Ｒ１、Ｒ２、Ｒ３は、水素、または直鎖または分岐のアルキル基、アルケニル基、アルキニル基、シクロアルキル基を表し、直鎖状または分岐状を問わない。また不飽和結合が含まれていてもかまわない。また酸素、ケイ素、ハロゲンなどのヘテロ原子が含まれていてもかまわない。Ｒ１、Ｒ２、Ｒ３は、それぞれ同一でもよく、異なってもよい。
【００１０】
アルキル基としては例えば、メチル、エチル、ｎ−プロピル、イソプロピル、ｎ−ブチル、ｓｅｃ−ブチル、ｔｅｒｔ−ブチル、ｎ−ペンチル、１−メチルブチル、２−メチルブチル、３−メチルブチル、１，１−ジメチルプロピル、１−メチルペンチル、２−メチルペンチル、３−メチルペンチル、４−メチルペンチル、１，１−ジメチルブチル、ｎ−ヘキシル、ｎ−オクチル、ｎ−ノニル、ｎ−デシル、ｎ−ウンデシル、ｎ−ドデシル、２−プロペニル、２−メチル−２−プロペニル、２−ブテニル、３−ブテニル、２−ヘキセニル、５−ヘキセニルなどが挙げられる。
【００１１】
アルケニル基としては一般式−ＣＨ＝ＣＲ６Ｒ７で表され、アルキニル基としては一般式−ＣＨ＝Ｃ−Ｒ６で表される。Ｒ６、Ｒ７は、それぞれ同一でも異なってもよく、水素または炭化水素基であり、例えばメチル、エチル、ｎ−プロピル、イソプロピル、ｎ−ブチル、ｓｅｃ−ブチル、ｔｅｒｔ−ブチル、ｎ−ペンチル、１−メチルブチル、２−メチルブチル、３−メチルブチル、１，１−ジメチルプロピル、１−メチルペンチル、２−メチルペンチル、３−メチルペンチル、４−メチルペンチル、１，１−ジメチルブチル、ｎ−ヘキシル、ｎ−オクチル、ｎ−ノニル、ｎ−デシル、ｎ−ウンデシル、ｎ−ドデシル、２−プロペニル、２−ブテニル、３−ブテニル、２−ヘキセニル、５−ヘキセニルなどが挙げられる。
【００１２】
シクロアルキル基としては、例えばシクロプロピル、シクロブチル、シクロペンチル、１−シクロペンテン−１−イル、２−シクロペンテン−１−イル、シクロペンタジエニル、シクロヘキシル、１−シクロヘキセン−１−イル、２−シクロヘキセン−１−イル、３−シクロヘキセン−１−イル、１，３−シクロヘキサジエン−１−イル、２，４−シクロヘキサジエン−１−イル、シクロヘプチル、１−シクロヘプテン−１−イル、２−シクロヘプテン−１−イル、３−シクロヘプテン−１−イル、４−シクロヘプテン−１−イル、シクロオクチル、１−シクロオクテン−１−イル、２−シクロオクテン−１−イル、シクロノニル、シクロデシルなどが挙げられる。また酸素が含まれるものとしては、今まで述べた基に一般式−ＯＲ８や一般式−ＣＯＯＲ９で表される置換基を有するものが挙げられる。Ｒ８やＲ９は、それぞれ同一でも異なってもよく、水素または炭化水素基であり、例えば、メチル、エチル、ｎ−プロピル、イソプロピル、ｎ−ブチル、ｓｅｃ−ブチル、ｔｅｒｔ−ブチル、ｎ−ペンチル、１−メチルブチル、２−メチルブチル、３−メチルブチル、１，１−ジメチルプロピル、１−メチルペンチル、２−メチルペンチル、３−メチルペンチル、４−メチルペンチル、１，１−ジメチルブチル、ｎ−ヘキシル、ｎ−オクチル、ｎ−ノニル、ｎ−デシル、ｎ−ウンデシル、ｎ−ドデシル、２−プロペニル、２−ブテニル、３−ブテニル、２−ヘキセニル、５−ヘキセニルなどが挙げられる。また今まで述べた基にケイ素やフッ素、塩素、臭素、ヨウ素のようなハロゲンが含まれていてもかまわない。
【００１３】
上記式（１）で表されるトロポロン誘導体の中で、４位にイソプロピル基を有する４−イソプロピルトロポロン（β−ツヤプリシン、別名ヒノキチオール）、４−位にイソプロペニル基を有するβ−ドラブリン、３位にイソプロピル基を有するα−ツヤプリシン、５位にイソプロピル基を有するγ−ツヤプリシンは、青森ヒバや台湾ヒノキの精油中に含まれる天然物であり、その安全性の高さから本発明で用いるトロポロン誘導体として好ましい。最も好ましいのは、４−イソプロピルトロポロン（ヒノキチオール）である。
【００１４】
ヒノキチオール（４−イソプロピルトロポロン）とは、前述のようにタイワンヒノキや青森ヒバの精油中に含まれる天然物であり、害虫忌避性・殺虫活性を有するのみならず、幅広い菌種に対し優れた抗菌・抗カビ性を有する極めて有用な結晶性物質である。本発明で用いる場合、ヒノキチオールは、天然品でも化学合成品でもかまわない。
【００１５】
【化２】
2004043327.tif 000003
【００１６】
ただし、式中Ｍは金属元素を表し、例えばＮａ、Ｋ、Ｍｇ、Ｃａ、Ｚｎ、Ｎｉ、Ｆｅ、Ｃｕ、Ａｌ、Ａｇなどがあげられる。式中ｎは金属の価数を表す。
【００１７】
【化３】
2004043327.tif 000004
【００１８】
ただし、Ｒ４は置換または無置換のアルキル基を表す。
【００１９】
【化４】
2004043327.tif 000005
【００２０】
ただし、Ｒ５ＯＨは糖類を表す。
本発明で用いるトロポロン誘導体は、天然抽出品でも、化学合成品でもかまわない。
金属錯体や塩の形態のトロポロン化合物の製法はとくに制限はなく、公知の方法で合成すればよい。例えば、酸素官能基がフリーのトロポロン誘導体と水酸化ナトリウム、水酸化カリウムを反応させれば、ナトリウム塩、カリウム塩を合成することができるし、酸素官能基がフリーのトロポロン誘導体もしくはナトリウム塩またはカリウム塩の形態のトロポロン誘導体を、塩化銅、塩化亜鉛、塩化カルシウムなどの無機塩、ステアリン酸銅、ステアリン酸亜鉛、ステアリン酸カルシウムなどの有機塩と反応させれば、金属錯体の形態のトロポロン化合物が合成できる。
【００２１】
アシル体の形態のトロポロン誘導体の製造も一般的な手法で実施すればよく、例えば脂肪酸などのカルボン酸の酸塩化物もしくはエステルと酸素官能基がフリーのトロポロン誘導体を反応させる方法や、酵素の存在下で脂肪酸などのカルボン酸と酸素官能基がフリーのトロポロン誘導体を反応（エステル化）させる方法などがあげられる。例えば、酪酸、吉草酸、カプロン酸、オクタン酸、カプリン酸、ラウリン酸、ミリスチン酸、パルミチン酸、ステアリン酸などの飽和脂肪酸、オレイン酸、リノール酸などの不飽和脂肪酸などの酸塩化物と酸素官能基がフリーのトロポロン誘導体を反応させる方法や、それらの酸と酸素官能基がフリーのトロポロン誘導体をリパーゼやエステラーゼなどの酵素の存在下でエステル化する方法などがあげられる。
【００２２】
配糖体の形態のトロポロン誘導体は、酸素官能基がフリーのトロポロン誘導体の水酸基と糖類（Ｒ５ＯＨ）の水酸基を脱水縮合させてエーテル結合を形成させることで製造することができ、そのための一般的な手法を採用すればよい。糖類（Ｒ５ＯＨ）としては特に制限はなく、一般的なものを用いればよく、例えばグルコース、フルクトース、マンノース、ガラクトースなどのヘキソース、キシロース、アラビノースなどのペントソースなどの単糖類、プリメベロース、ゲンチオビオース、ルチノース、ストロファントビオース、セロビオースなどの二糖類、その他の多糖類あるいはそれらの誘導体を用いることができる。
【００２３】
本発明においては、トロポロン誘導体をシクロデキストリンに包接された形態で含有させてもよい。その場合に用いるシクロデキストリン（ＣＤ）は特に制限はなく、例えば、α−ＣＤ、β−ＣＤ、γ−ＣＤ、分岐ＣＤ（例：グルコシル−ＣＤ、マルトシル−ＣＤなど）、ヒドロキシプロピル化−ＣＤ、モノクロロトリアジノ−ＣＤ、メチル化−ＣＤ、アセチル化−ＣＤ、トリアセチル化−ＣＤや、これらの混合物などがあげられる。
【００２４】
本発明においては、トロポロン誘導体の他に用途に応じた防菌防カビ剤を更に含有してもよい。
防菌防カビ剤としては例えば、エチルアルコール、プロピルアルコール、２−プロパノール、２−ブロモ−２−ニトロ−１，３−プロパンジオール、Ｎ−（２−ヒドロキシプロピル）−アミノメタノール、フェノキシエタノールなどのアルコール系防菌防カビ剤、フェノール、３−メチル４−イソプロピルフェノール、２−イソプロピル−５−メチルフェノール、オルトフェニルフェノール、オルトフェニルフェノールナトリウム、４−クロロ−３，５−ジメチルフェノール、メチルフェノール、パラクロロフェノール、トリブロムフェノール、３−メチル−４−クロロフェノール、４−クロロ−２−（フェニルメチル）フェノール、ものクロロ−２−フェニルフェノールなどのフェノール系防菌防カビ剤、ホルムアルデヒド、グルタールアルデヒド、α−ブロムシンナムアルデヒドなどのアルデヒド系防菌防カビ剤、安息香酸、安息香酸ナトリウム、１０−ウンデシレン酸亜鉛、１０−ウンデシレン酸ものエタノールアミド、オクタンさん、ヘキサジエン酸およびその塩、プロピオン酸およびその塩などのカルボン酸系防菌防カビ剤、グリセリン脂肪酸エステル、パラヒドロキシ安息香酸エステルなどのエステル系防菌防カビ剤、２，４，４’−トリクロロ−２’−ヒドロキシジフェニールエーテルなどのエーテル系防菌防カビ剤、２，４，５，６−テトラクロロイソフタロニトリル、１，２−ジブロモ−２，４−ジシアノブタンなどの防菌防カビ剤、過酸化水素、エチレンオキシド、プロピレンオキシド、過酢酸などの過酸化物・エポキシ系防菌防カビ剤、ポリビニルピロリドンヨード、パラクロロフェニル−３−ヨードプロパギルフォマール、３−ヨード−２−プロパギルカーバメイト、塩素化イソシアヌール酸、１−［（ジヨードメチル）スルホニル］−４−メチルベンゼン、Ｎ−（フルオロジクロロメチルチオ）−フタルイミド、Ｎ，Ｎ−ジメチル−Ｎ’−（ジクロロフルオロメチルチオ）−Ｎ’−フェニルスルファミド、１−ブロモ−３−エトキシカルボオキシ−１，２−ジヨード−１−プロペン、２，３，３−トリヨードアリルアルコール、α−クロロナフレンなどのハロゲン系防菌防カビ剤、８−オキシキノリン、２，３，５，６−テトラクロル−４−（メチルスルホニル）ピリジン、ビス（２−ピリジルチオ−１−オキシド）亜鉛、（２−ピリジルチオ−１−オキシド）ナトリウムなどのピリジン・キノリン系防菌防カビ剤、Ｎ，Ｎ’，Ｎ’−トリスヒドロキシエチルヘキサヒドロ−Ｓ−トリアジンなどのトリアジン系防菌防カビ剤、５−クロロ−２−メチル−４−イソチアゾリン−３−オン、２−メチル−４−イソチアゾリン−３−オン、２−ｎ−オクチル−４−イソチアゾリン−３−オン、１，２−ベンゾチアゾロンなどのイソチアゾロン系防菌防カビ剤、２−（４−チオシアノメチルチオ）ベンツイミダゾール、２−（４’−チアゾリル）−ベンツイミダゾール、２−メトキシカルボニルアミノベンツイミダゾールなどのイミダゾール・チアゾール系防菌防カビ剤、３，４，４’−トリクロロカルバニリド、３−トリフルオロメチル４，４’−ジクロルカルバニリドなどのアニリド系防菌防カビ剤、ポリヘキサメチレンビグアニジン塩酸塩、クロルヘキシジングルコン酸塩などのビグアナイド系防菌防カビ剤��ビス（ジメチルチオカーバモイル）ジスルフィドなどのジスルフィド系防菌防カビ剤、アンモニウム−Ｎ−メチルジチオカーバメートソディウム−Ｎ−メチルジチオカーバメートなどのチオカーバメート系防菌防カビ剤、ポリグルコサミン、アミノグルコシドなどの糖質系防菌防カビ剤、ポリリジン、カテキン、イソチオシアン酸アリルなどの天然系防菌防カビ剤、アルキルジメチルベンジルアンモニウムクロライド、ジデシルジメチルアンモニウムクロライド、セチルジメチルベンジルアンモニウムクロライド、オクタデシルアミン酢酸塩、３−（トリメトキシクル）プロピルジメチルオクタデシルアンモニウムクロライド、ポリ［ポリメチレン（ジメチルイミニオ）クロライド］、ポリ［オキシエチレン（ジメチルイミニオ）エチレン（ジメチルイミニオ）エチレンジクロライド］、アルキル（ジアミノエチル）グリシン塩酸塩などの界面活性剤系防菌防カビ剤、１０、１０’−オキシビスフェノキサルシン、ナフテン酸亜鉛・ナフテン酸銅、８−オキシキノリン銅などの有機金属系防菌防カビ剤などの有機系防菌防カビ剤があげられる。また、シリカアルミナマグネシウム、リン酸カルシウム、シリカゲル、ガラス、ゼオライト、リン酸ジルコニウム、Ｃａ・Ｚｎ・Ａｌリン酸複塩、ケイ酸カルシウムなどの担体に銀、銅、亜鉛などの金属イオンを担持させた無機系防菌防カビ剤もあげられる。
【００２５】
本発明においては、トロポロン誘導体の他に用途に応じた防虫剤を更に含有してもよい。防虫剤としては、例えば、ピレトリン、アレスリン、ｄｌ，ｄ−Ｔ８０−アレスリン、フタルスリン、ｄ−Ｔ８０−フタルスリン、レスメトリン、フラメトリン、ｄ−Ｔ８０−フラメトリン、フェノトリン、ペルメトリン、エトフェンプロックス、ｄ，ｄ−Ｔ８０−プラレトリン、シフルトリン、イミプロトリン、シフェノトリン、ｄ，ｄ−Ｔ−シフェノトリン、トラロメトリン、シラフルオフェン、ビフェントリン、フルメトリン、フルバリネート、トランスフルトリン、テフラメトリン、テラレスリン、エムペントリンフェンフルトリンなどのピレスロイド剤、
【００２６】
ジクロルボス、ダイアジノン、トリクロルホン、フェンチオン、ナレド、フェニトロチオン、テメホス、ピリダフェンチオン、クロルピリホスメチル、プロチオホス、プロペタンホス、クロルピリホス、ホキシム、テトラクロルビンホス、アザメチホスなどの有機リン剤、
【００２７】
カルバリル、プロポクスル、フェノブカルブ、メトキサジアゾンなどのカーバメート剤、メトプレン、ジフルベンズロン、ピリプロキシフェン、シロマジン、トリフルムロン、ルフェヌロン、テフルベンズロン、ヒドラメチルノン、イミダクロプリド、アセタミプリド、ＴＰＩＣ（トリプロピルイソシアヌレート）、ＢＤＣＰ（ブロモジクロロフェノール）、イベルメクチン、フェプロニル、オルトジクロロベンゼンなどの昆虫成長制御剤、
【００２８】
オクタクロロジプロピルエーテル、ピペロニルブトキサイド、サイネピリン５００、サイネピリン２２２などの共力剤、エンペントリン、パラジクロルベンゼン、ナフタリン、しょうのう等の衣類防虫剤、ジメチルフタレート、ジエチルトルアミド、ＭＧＫ−１１、ＭＧＫ−３２６、タブトレックス、イソピンピネリン、ベルガプテン、ザントトキシン、コクサギン、ジハイドロコクサギンなどの化学忌避剤、α−ピネン、ゲラニオール、シトロネラール、リナロールなどの忌避剤、　スペアミント（含有成分：リモネン、カルボンなど）、ナツメグ（含有成分：ゲラニオール、リナロール、オイゲノール、サフロール、ピネンなど）、ペパーミント（含有成分：メントール、ジャスモン、カルバクロール、リモネンなど）、シナモン（含有成分：シンナミックアルデヒド、オイゲノール、サフロール、シメン、ジペンテン、フェランドレン、ピネンなど）、クローブ（含有成分：フルフロール、オイゲノール、カリオフィレン、ピネンなど）、ユーカリ（含有成分：カフェン、フェンケン、フェランドレン、ピネン、シトロネラール、シネオールなど）、ガーリック（含有成分：ジアリルジスルフィドなど）、
【００２９】
マージョラム（含有成分：カンファー、ボルネオール、テルピネオール、カリオフィレン、ピネン、サビネン、テルピネンなど）、パルマローザ（含有成分：ゲラニオール、シトロネロール、ファルネゾール、シトラール、シトロネラール、リモネンなど）、クミン（含有成分：クミンアルデヒド、ピネンなど）、コリアンダー（含有成分：ゲラニオール、リナロール、テルピネオール、ピネンなど）、オリガナム（含有成分：チモール、ピネンなど）、
【００３０】
日本ハッカ油（含有成分：リモネン、メントン、メントールなど）、レモンピール、ローズマリー、シトロネラ、クローバ、タチジャコウソウ、ゼラニウム、月桂樹などの精油、ピーチ・ペースト、メロン・ペースト、パイナップルフレーバー、セロリー１０１などの植物香料、ヒノキ（含有成分：ｄ−カジノール、Ｔ−カジノールなど）、
【００３１】
ベイスギ、チーク、クイラ、ホウノキ、アスナロ、ヒノキアスナロ（青森ヒバ）（含有成分：α−ツヤプリシン、β−ツヤプリシン、γ−ツヤプリシン、β−ドラブリンなど）、タイワンヒノキ、木曽ヒノキ、イブキ、ハイネズミ、クロベ（ネズコ）、ウエスタン・レッド・シーダー、インセンスシーダー、ラジアータパイン（含有成分：β−テルピネオール、ボルネオール、フェンチルアルコールなど）などの樹木の精油などがあげられる。
【００３２】
本発明の木材処理剤は、炭素鋼、ステンレス鋼（ＳＵＳ３０４、ＳＵＳ３０４Ｌ、ＳＵＳ３１６、ＳＵＳ３１６Ｌなど）、ニッケル、ニッケル合金（ハステロイＢ、ハステロイＣなど）、銅合金（黄銅、青銅、白銅など）、チタン合金などあらゆる金属材料の腐食と着色防止に有効であるが、ステンレス鋼において特に有効である。ステンレス鋼は汎用性が最も高く、且つ安価なため、木材への薬液注入装置の部品や構造材料として広く用いられている。したがって、本発明がステンレス鋼に特に有効であることは意義深いことである。
【００３３】
本発明の木材処理剤とは、木材の保護を目的とする薬剤であり、当該薬剤による木材処理の方法は特に限定されず、減圧・加圧注入法、浸漬法、塗布法など汎用の方法を採用すればよいが、減圧・加圧注入法において特に本発明の有用性が示される。減圧・加圧注入法とは、木材を金属製の注入缶に入れ、減圧下に薬液を注入した後、加圧して薬液を木材の内部まで浸透させる方法であり、広く採用されている方法であるが、トロポロン誘導体含有薬剤と金属材料の接触による金属腐食や着色が最も問題となりやすい方法である。
【００３４】
本発明の木材処理剤においては、ジエチレングリコールモノメチルエーテルなどのグリコール系溶剤や、ツインタイプの界面活性剤などを適宜配合することもできる。
以下、実施例等を用いて本発明をより詳細に説明するが、本発明はこれによって何ら限定されない。
なお、実施例等における各種評価は下記の方法に従った。また、ノニオン系界面活性剤としては、花王株式会社製「エマルゲン１０９Ｐ」（商品名）を用いた。ヒノキチオールは旭化成株式会社製を用いた。ヒノキチオールの金属錯体の合成方法（例）を以下に示した。
【００３５】
＜ヒノキチオールのカルシウム錯体の合成方法＞
純水２５ｇに９６％水酸化ナトリウム０．３１６３ｇを溶解して水酸化ナトリウム水溶液を調製した。該水溶液に４−イソプロピルトロポロン（ヒノキチオール）１．２４９２ｇを加え、５０℃で１０分間撹拌して溶解させ、ヒノキチオールのナトリウム塩の水溶液を得た。該水溶液に対し、塩化カルシウム０．４２３４ｇを純水２ｇに溶解した塩化カルシウム水溶液を滴下し、ヒノキチオールのカルシウム錯体を析出させた。析出した錯体を吸引ろ過により捕集し、水洗した後乾燥し、ヒノキチオールのカルシウム錯体を得た。
【００３６】
＜金属材料の腐食性と着色度の評価＞
２５℃に保った木材処理剤１０ｇにステンレス鋼（ＳＵＳ３０４またはＳＵＳ３１６）の試験片（１５ｍｍ×３０ｍｍ×３ｍｍ）を１か月間浸漬し、浸漬前後の重量変化より試験片の腐食速度を求めた。また、一か月浸漬後の着色の程度を目視判定した。なお、表中の記号の意味は次のとおりである。
○：着色なし、△：着色あり、×：着色が著しい
【００３７】
＜木材の腐朽試験＞
木材試験片としては、トロポロン誘導体を１００ｇ／ｍ３の割合で含有するように木材処理剤を加圧注入したスギ辺材（３０×４０×５５ｍｍ）を用いた。腐朽菌はオオウズラタケを用いた。１２０℃で２０分間殺菌した培養瓶内の寒天培地（麦芽抽出物２％、ペプトン１％）に菌糸体を培養し、その上にあらかじめ６０℃で４８時間乾燥後、デシケーター内で一晩酸化プロピレンによる殺菌を行なった木材試験片を置き、温度２６℃、湿度７０％以上に調節した培養室で３ヶ月腐朽させた。腐朽性の評価は、次の腐朽菌蔓延度で行なった。
腐朽菌蔓延度　　　　　　　　　　基準
１　　　　　　　　　　木材試験片に菌の蔓延が無い
２　　　　　　　　　　菌が木材試験片の一部を覆う
３　　　　　　　　　　菌が木材試験片全体を覆う
【００３８】
＜木材の防蟻性評価＞
木材試験片としては、トロポロン誘導体を１００ｇ／ｍ３の割合で含有するように木材処理剤を加圧注入したスギ辺材（１０×１０×２０ｍｍ）を用いた。木材試験片をイエシロアリの飼育槽中に無作為に一か月間配置し、試験前後の木材試験片の重量より、次式により重量減少率を求め、白蟻による食害の程度を評価した。
重量減少率（％）＝（試験前重量−試験後重量）／試験前重量×１００
【００３９】
【実施例１〜３、比較例１〜３】
表１に記載の各成分を水に溶解し、表１に記載の数値で示される濃度（重量％）になるよう木材処理剤を調製した。各種評価結果を表１に示した。
実施例１〜３は、本発明の必須要件であるトロポロン誘導体とキレート剤をともに含有しているので、金属の腐食と着色が抑制できているのみならず、優れた木材防腐および防蟻効果が発現している。一方、比較例１〜２は、本発明の必須要件であるキレート剤を含有していないので、金属腐食と着色が認められる。比較例３は、本発明の必須要件であるトロポロン誘導体を含有していないので、木材防腐および防蟻の効果がともに極めて劣る結果となっている。
【００４０】
【表１】
2004043327.tif 000006
【００４１】
【発明の効果】
本発明により、装置等の金属腐食や着色の問題がない、トロポロン誘導体を有効成分とする木材処理剤を提供することが可能となる。